(57)【特許請求の範囲】
【請求項１】
対向する一対の平面部、及び前記一対の平面部の少なくとも一方の側縁から内側に折り込まれた側面部を有するガゼット状の袋本体と、
前記袋本体に形成される開口の平面部と側面部の内面に周方向に沿って帯状に設けられ、対向する部分同士が互いに着脱自在に嵌合する嵌合部を有する嵌合具と、を有し、
前記袋本体の上部は上部シール部で密封され、
前記上部シール部は、前記袋本体の一方の側縁側に位置するシール幅の狭い幅狭シール部と、前記幅狭シール部の他方の側縁側に位置するシール幅の広い幅広シール部とからなり、
前記袋本体における前記幅狭シール部の下側に、一方の側縁から前記幅広シール部まで延びる、前記開口を形成するための前記袋本体の切断を補助する切断補助線が形成され、
前記嵌合具は、前記袋本体における前記切断補助線の下側の内面に、前記一方の側縁から前記幅広シール部まで設けられ、
前記嵌合具における、前記側面部と平面部とが対向する部分の嵌合部に、該嵌合部の長手方向と交差する方向に沿った切り欠き部が複数形成されていることを特徴とする嵌合具付きガゼット袋。
【発明の詳細な説明】
【技術分野】
【０００１】
本発明は、嵌合具付きガゼット袋に関する。
【背景技術】
【０００２】
食品分野等では、開口を大きく開くことができ、内容物の出し入れが容易な点から、ガゼット袋が広く使用されている。また、ガゼット袋の開口を繰り返し開閉できるように、ガゼット袋の開口近傍の内面に、互いに着脱自在に嵌合する嵌合部を有する嵌合具が設けられた嵌合具付きガゼット袋が知られている。
【０００３】
例えば、図１１に例示した、ガゼット状の袋本体１１０と、袋本体１１０の内面に全周にわたって設けられた嵌合具１２０とを備えた嵌合具付きガゼット袋１０１が知られている（例えば、特許文献１）。嵌合具１２０は、対向する平面部１１１，１１２と、平面部１１１，１１２の側縁から内側に折り込まれた一対の側面部１１３，１１４とを有する。嵌合具１２０は、基材の長手方向に沿って複数本並行して設けられた凸条の雄型嵌合部１２１を有する。嵌合具１２０は、対向する複数本の雄型嵌合部１２１同士を互いに嵌め込んで引っ掛けることで嵌合するようになっている。
また、嵌合具１２０の雄型嵌合部１２１における、側面部１１３，１１４のそれぞれの折り線１１３ａ，１１４ａに対応する部分には、切り欠き部１２２，１２３が設けられている。これにより、袋本体１１０は、側面部１１３，１１４が、折り線１１３ａ，１１４ａを内側にしてガゼット状に折り込みやすくなっている。
【先行技術文献】
【特許文献】
【０００４】
【特許文献１】特開２００６−２９０３７３号公報
【発明の概要】
【発明が解決しようとする課題】
【０００５】
しかし、嵌合具付きガゼット袋１０１は、嵌合具１２０によって袋本体１１０の開口を封じる際、特に側面部１１３，１１４の近傍を安定して封じられず、内容物が袋本体１１０外に出てしまうことがある。
具体的には、袋本体１１０に形成した開口を封じる際に、図１２に示すように、平面部１１１，１１２と側面部１１３とを互いに充分に近づけることが困難なため、領域ａの部分に隙間が生じ、そこから内容物が外に出てしまうことがある。
【０００６】
本発明は、開口を開封自在に安定して封じることができる嵌合具を有する嵌合具付きガゼット袋の提供を目的とする。
【課題を解決するための手段】
【０００７】
本発明の嵌合具付きガゼット袋は、対向する一対の平面部、及び前記一対の平面部の少なくとも一方の側縁から内側に折り込まれた側面部を有するガゼット状の袋本体と、
前記袋本体に形成される開口の平面部と側面部の内面に周方向に沿って帯状に設けられ、対向する部分同士が互いに着脱自在に嵌合する嵌合部を有する嵌合具と、を有し、
前記袋本体の上部は上部シール部で密封され、
前記上部シール部は、前記袋本体の一方の側縁側に位置するシール幅の狭い幅狭シール部と、前記幅狭シール部の他方の側縁側に位置するシール幅の広い幅広シール部とからなり、
前記袋本体における前記幅狭シール部の下側に、一方の側縁から前記幅広シール部まで延びる、前記開口を形成するための前記袋本体の切断を補助する切断補助線が形成され、
前記嵌合具は、前記袋本体における前記切断補助線の下側の内面に、前記一方の側縁から前記幅広シール部まで設けられ、
前記嵌合具における、前記側面部と平面部とが対向する部分の嵌合部に、該嵌合部の長手方向と交差する方向に沿った切り欠き部が複数形成されていることを特徴とする。
【発明の効果】
【０００８】
本発明の嵌合具付きガゼット袋は、開口を開封自在に安定して封じることができる。
【図面の簡単な説明】
【０００９】
【図１】本発明の嵌合具付きガゼット袋の一例を示した正面図である。
【図２】図１の嵌合具付きガゼット袋を直線Ｉ−Ｉ’で切断したときの断面図である。
【図３】図１の嵌合具付きガゼット袋を直線II−II’で切断したときの断面図である。
【図４】本発明の嵌合具付きガゼット袋における嵌合具を示した斜視図である。
【図５】図１の嵌合具付きガゼット袋を開封した様子を示した斜視図である。
【図６】図５の嵌合具付きガゼット袋を直線III−III’で切断したときの断面図である。
【図７】嵌合具の他の例を示した断面図である。
【図８】嵌合具の他の例を示した断面図である。
【図９】嵌合具の他の例を示した断面図である。
【図１０】本発明の嵌合具付きガゼット袋の製造工程の一例を示した斜視図である。
【図１１】従来の嵌合具付きガゼット袋の嵌合具の取り付け位置を幅方向に切断したときの断面図である。
【図１２】図１１の嵌合具付きガゼット袋の開口を閉じた様子を示した拡大断面図である。
【発明を実施するための形態】
【００１０】
以下、本発明の嵌合具付きガゼット袋の実施形態の一例を示して詳細に説明する。
本実施形態の嵌合具付きガゼット袋１（以下、「ガゼット袋１」という。）は、図１〜３に示すように、ガゼット状の袋本体１０と、袋本体１０の内面に帯状に設けられた嵌合具２０とを有する。
【００１１】
袋本体１０は、図１及び図２に示すように、対向する一対の平面部１１，１２と、平面部１１の側縁１１ａ及び平面部１２の側縁１２ａから内側に折り込まれた側面部１３と、平面部１１の側縁１１ｂ及び平面部１２の側縁１２ｂから内側に折り込まれた側面部１４とを有している。側面部１３は折り線１３ａを内側にして折り込まれ、側面部１４は折り線１４ａを内側にして折り込まれている。
また、本実施形態の袋本体１０は、平面部１１，１２及び側面部１３，１４が１枚のフィルム材からなっており、該フィルム材を筒状にして側端部同士を貼り合わせることで背貼り部１５とされ、側面部１３，１４を内側に折り込んで底部シール部１６がシールされることで、内容物を収容できるガゼット状の袋となっている。
【００１２】
また、袋本体１０は、内容物を収容した状態で、上部が上部シール部１７でシールされて密封されている。上部シール部１７は、図１に示すように、側縁１１ａ，１２ａ側の一部がシール幅の狭い幅狭シール部１７ａとなっており、該幅狭シール部１７ａの側縁１１ｂ，１２ｂ側がシール幅の広い幅広シール部１７ｂになっている。
袋本体１０の上部には、側縁１１ａ，１２ａ側から幅狭シール部１７ａの下側を幅広シール部１７ｂまで進み、幅広シール部１７ｂの側縁１１ａ，１２ａ側の側縁部分に沿って袋本体１０の上縁に到達するように、切断補助線１８が形成されている。切断補助線１８により、袋本体１０の側縁１１ａ，１２ａ側の上部の一部を切断して開封するのを補助できる。また、その切断補助線１８の側縁１１ａ，１２ａ側の端部にはノッチ１９が形成されている。
袋本体１０は、切断補助線１８に沿って上部の一部を切断して開封することで、図５に示すように、上部の側面部１３側に開口１０ａを形成することができるようになっている。
【００１３】
平面部１１，１２の形状は、この例では矩形である。ただし、平面部１１，１２の形状は矩形には限定されない。また、平面部１１，１２の大きさも特に限定されず、袋本体１０に収容する内容物によって適宜選定すればよい。
側面部１３，１４の形状は、平面部１１，１２に応じて適宜選定でき、この例では矩形である。また、側面部１３，１４の大きさは、平面部１１，１２の大きさに応じて決定される。
【００１４】
平面部１１，１２は、ヒートシールにより嵌合具２０を溶着できるものであればよく、内面側から、耐熱層とヒートシール層が積層されたフィルムが挙げられる。平面部１１，１２は、耐熱層とヒートシール層の間にバリア層を有していてもよい。
耐熱層の材質としては、二軸延伸ナイロン、二軸延伸ポリプロピレン等が挙げられる。
ヒートシール層の材質としては、直鎖状低密度ポリエチレン、無延伸ポリプロピレン、エチレン−酢酸ビニル共重合体、アイオノマー等が挙げられる。
バリア層の材質としては、ポリビニルアルコール等が挙げられる。
側面部１３，１４は、平面部１１，１２と同じフィルム材が使用できる。
【００１５】
切断補助線１８としては、例えば、袋本体１０の平面部１１，１２及び側面部１３における切断補助線１８の部分をそれ以外の部分に比べて薄肉化した弱化線、ミシン目からなる弱化線、列状に形成された細孔からなる弱化線が挙げられる。また、切断補助線１８は、前記弱化線には限定されず、ハサミやカッター等で切断する位置を示す、印刷等で形成した線であってもよい。
切断補助線１８の形状は前記したものには限定されず、袋本体１０に形成する開口形状に応じて適宜設ければよい。
【００１６】
ノッチ１９の形状は、この例では三角形状であるが、特に限定されず、半円形状、直線状等であってもよい。
【００１７】
嵌合具２０は、図１及び図２に示すように、袋本体１０における切断補助線１８の下側の内面に、側縁１１ａ，１２ａから幅広シール部１７ｂまで幅方向に沿って帯状に設けられている。これにより、図５に示す袋本体１０に形成した開口１０ａを、嵌合具２０によって開閉自在に封じることができるようになっている。
嵌合具２０は、図３及び図４に示すように、帯状の基材２１と、基材２１の長手方向に沿って設けられた嵌合部２２とを有している。嵌合部２２は、基材２１から断面円弧状に立ち上がり、凹部２２ａを形成する第１のアーム部２３及び第２のアーム部２４と、第１のアーム部２３と第２のアーム部２４の間に位置するように設けられた雄爪部２５とを有している。つまり、嵌合具２０の嵌合部２２は、雌型嵌合部の中に雄型嵌合部が設けられたような形態を有している。
【００１８】
嵌合具２０は、図３に示すように、対向面にそれぞれ設けられた嵌合具２０における各々の雄爪部２５を、対向する雄爪部２５と第１のアーム部２３又は第２のアーム部２４との間にそれぞれ嵌め込むことで、着脱自在に嵌合できるようになっている。
ガゼット袋１では、図２及び図３に示すように、側面部１３に設けられた嵌合部２２と、平面部１１，１２の側面部１３と対向する部分１１ｃ，１２ｃに設けられた嵌合部２２とが互いに嵌め込まれ、また平面部１１と平面部１２が対向する部分のそれぞれの嵌合部２２が互いに嵌め込まれることで、開口１０ａが開閉自在に封じられる。
【００１９】
嵌合部２２の断面形状は、対向する嵌合部２２同士を互いに着脱することで、袋本体１０に形成した開口１０ａの開閉が繰り返し行えるものであればよく、例えば、公知の雄型嵌合部と雌型嵌合部を組み合わせた断面形状を採用できる。
【００２０】
また、嵌合具２０は、図２及び図４に示すように、袋本体１０の側面部１３に設けられた嵌合部２２と、平面部１１，１２における側面部１３と対向する部分１１ｃ，１２ｃに設けられた嵌合部２２に、該嵌合部２２の長手方向と交差する方向に沿った切り欠き部２６が複数形成されている。これにより、袋本体１０に形成した開口１０ａを安定して充分に封じることができる。この理由は、以下に示すとおりである。
例えば、図１１に示す嵌合具付きガゼット袋１０１の場合、雄型嵌合部１２１がフィルム材に比べて硬くて曲がり難いことから、平面部１１１，１１２と側面部１１３の柔軟性が低く、それによって、図１２に示すように、特に領域ａでの平面部１１１，１１２と側面部１１３を互いに充分に近づけ難かったために、側面部１１３側に隙間が生じて開口を安定して封じられなかったと考えられる（側面部１１４側も同様）。
これに対し、本発明のガゼット袋１では、側面部１３と、平面部１１，１２における側面部１３と対向する部分１１ｃ，１２ｃに設けられた嵌合部２２に、複数の切り欠き部２６が設けられていることで、平面部１１，１２と側面部１３の柔軟性が向上する。そのため、平面部１１，１２と側面部１３とを互いに充分に近づけやすくなり、それらの部分に設けられた嵌合部２２同士を互いにしっかりと嵌合させることができ、開口１０ａを安定して充分に封じることが可能になると考えられる。
【００２１】
切り欠き部２６の形態としては、嵌合部２２に刃物等によって切り込みを入れることで形成した形態（Ａ）、嵌合部２２の一部を切除することで形成した形態（Ｂ）、嵌合部２２の一部を押し潰して形成した形態（Ｃ）等が挙げられる。なかでも、製造が容易で、かつ嵌合強度が高くなる点から、形態（Ａ）が好ましい。
【００２２】
また、本発明では、図２及び図６に示すように、嵌合部２２における側面部１３の折り線１３ａに対応する部分に切り欠き部２７が設けられていることが好ましい。これにより、折り線１３ａ部分を基点に側面部１３を屈曲させやすくなるので、側面部１３の折り線１３ａの近傍が湾曲し難くなり、側面部１３と、平面部１１，１２の側面部１３と対向する部分１１ｃ，１２ｃとを互いに近づけることが容易になる。そのため、側面部１３と、平面部１１，１２の側面部１３と対向する部分１１ｃ，１２ｃに設けられた嵌合部２２同士をより安定して嵌合させることができる。
また、平面部１１，１２に設けられた嵌合部２２における、開口１０ａを封じたときに切り欠き部２７に対応する部分に、それぞれ切り欠き部２８，２９が設けられていることが好ましい。これにより、平面部１１，１２の側面部１３側を、切り欠き部２８，２９の部分を基点に屈曲させることができるため、側面部１３の折り線１３ａの近傍で平面部１１，１２が湾曲し難くなる。そのため、側面部１３と、平面部１１，１２の側面部１３と対向する部分１１ｃ，１２ｃとを近づけ、それらの部分に設けられた嵌合部２２同士を安定して嵌合させることが容易になる。
切り欠き部２７〜２９の形態としては、例えば、切り欠き部２６で挙げた形態（Ａ）〜（Ｃ）が挙げられる。
【００２３】
嵌合具２０における平面部１１の側縁１１ａ及び平面部１２の側縁１２ａの部分の嵌合部２２は、ヒートシールにより押し潰されていることが好ましい。これにより、袋本体１０の側縁１１ａ，１２ａの部分が広がることを抑制でき、開口１０ａをより安定して封じることができる。
【００２４】
嵌合具２０の材質としては、公知の嵌合具と同じ材質が使用でき、ポリエチレン、ポリプロピレン等のポリオレフィン系樹脂等が挙げられる。嵌合具２０を形成する樹脂は、１種であってもよく、２種以上であってもよい。また、嵌合具２０には、必要に応じて安定剤、酸化防止剤、滑剤、帯電防止剤、着色剤等の公知の添加剤が添加されていてもよい。
また、嵌合具２０の基材２１は、単層フィルムからなっていてもよく、多層フィルムからなっていてもよい。積層フィルムとしては、ヒートシール層、耐熱層、バリア層等を含むフィルムが挙げられる。
【００２５】
ガゼット袋１の製造方法は、特に限定されず、例えば、以下に示す方法が挙げられる。
まず、図１０に示すように、平面部１１，１２及び側面部１３，１４を形成する長尺のフィルム材１０Ａをその長手方向に搬送しつつ、フィルム材１０Ａ上に、該フィルム材１０Ａの短手方向に沿って、切り欠き部２６〜２９となる切り欠き部を設けた嵌合具２０を溶着し、フィルム材１０Ａを直線ｘに沿って切断する。
その後、切断したフィルム材１０Ａにおける一方の側端部１０ｂと他方の側端部１０ｃとを、嵌合具２０が内側となるように合わせて、フィルム材１０Ａを筒状にし、それら側端部１０ｂと側端部１０ｃをヒートシールして背貼り部１５を形成する。次いで、背貼り部１５が背面となり、側面部１３側に嵌合具２０が配置されるようにガゼット状に折り込んで平面部１１，１２と側面部１３，１４を形成して、平面部１１の側縁１１ａ及び平面部１２の側縁１２ａの部分をポイントシールしてその部分の嵌合部２２を押し潰す。さらに、平面部１１，１２と側面部１３，１４の底側をヒートシールして底部シール部１６を形成し、内容物を収容した後に上部をヒートシールして上部シール部１７を形成することで密封する。
切断補助線１８及びノッチ１９の形成時期は特に限定されず、フィルム材１０Ａの相当する位置に予め形成していてもよく、袋本体１０の密封後に形成してもよい。
【００２６】
以上説明したように、本発明の嵌合具付きガゼット袋は、帯状の嵌合部に前述した切り欠き部を設けた嵌合具を、袋本体の開口の内面に設けることで、ガゼット状の袋本体に形成した開口を安定して充分に封じることができる。
【００２７】
なお、本発明の嵌合具付きガゼット袋は、前述したガゼット袋１には限定されない。例えば、本発明の嵌合具付きガゼット袋における嵌合具の嵌合部は、切り欠き部２７〜２９を有していないものであってもよい。
また、前述した切り欠き部を有していれば、断面形状が前記嵌合部２２以外の形状のものであってもよい。例えば、図７に示すように、帯状の基材２１に、基材２１から立ち上がる幹部３０ａ及び該幹部３０ａの上部に設けられた幹部３０ａよりも大きい頭部３０ｂからなる凸条の雄型嵌合部３０が、基材２１の長手方向に沿って並行して複数本設けられた嵌合具２０Ａを有する嵌合具付きガゼット袋であってもよい。
嵌合具２０Ａでは、並行する雄型嵌合部３０の各々の頭部３０ｂを、向かい側に並行して設けられた雄型嵌合部３０と雄型嵌合部３０の間にそれぞれ嵌め込むことで、頭部３０ｂを互いに引っ掛けて着脱自在に嵌合できる。このような嵌合具では、雄型嵌合部の本数は、特に限定されず、開閉操作の容易性、確実性の点から、３〜６本が好ましく、４〜５本がより好ましい。
【００２８】
また、図８に示すように、帯状の一対の基材２１に、凸条の雄型嵌合部３１と、雄型嵌合部３１に着脱自在に嵌合する雌型嵌合部３２とが、それぞれ基材２１の長手方向に沿って設けられた嵌合具２０Ｂを有する嵌合具付きガゼット袋であってもよい。雄型嵌合部３１は、基材２１から突き出すように形成された幹部３１ａと、幹部３１ａよりも大きい断面略半円形状の頭部３１ｂを有している。また、雌型嵌合部３２は、基材２１から断面円弧状に突き出すアーム部３２ａ，３２ｂからなり、これらアーム部３２ａ，３２ｂにより凹部３２ｃが形成されている。嵌合具２０Ｂは、雄型嵌合部３１の頭部３１ｂを、雌型嵌合部３２の凹部３２ｃに嵌め込むことで、雄型嵌合部３１と雌型嵌合部３２を着脱自在に嵌合できるようになっている。
嵌合具２０Ｂを用いる場合は、平面部１１，１２と側面部１３における互いに対向する面に、雄型嵌合部３１と雌型嵌合部３２が対向するように設ける。
【００２９】
また、図９に示すように、帯状の基材２１に、雌型嵌合部３３が基材２１の長手方向に沿って並行して複数本設けられた嵌合具２０Ｃを有する嵌合具付きガゼット袋であってもよい。雌型嵌合部３３の形態としては、前記雌型嵌合部３２と同じ形態が挙げられる。対向する雌型嵌合部３３の各々のアーム部を互いの凹部内に嵌め込んで互いに引っ掛けることで、着脱自在に嵌合できる。
【００３０】
また、嵌合具がガゼット状の袋本体の周方向に全周にわたって設けられ、袋本体の上部全体に形成した開口を開閉自在に封じることができるようになっている嵌合具付きガゼット袋であってもよい。
また、嵌合具付きガゼット袋の袋本体は、１枚のフィルム材で形成されたものには限定されない。例えば、平面部１１、平面部１２、側面部１３及び側面部１４を、それぞれ形成する４枚のフィルム材の縁同士をヒートシールして形成した袋本体を有する嵌合具付きガゼット袋であってもよい。
また、一対の平面部１１，１２と一対の側面部１３，１４を有する形態には限定されない。例えば、一対の平面部の一方の側縁側のみに、内側に折り込まれた側面部を有し、一対の平面部の他方の側縁側に側面部を有さない袋本体を有する嵌合具付ガゼット袋であってもよい。
【符号の説明】
【００３１】
１  嵌合具付きガゼット袋
１０  袋本体
１１，１２  平面部
１１ａ，１１ｂ，１２ａ，１２ｂ  側縁
１３，１４  側面部
１５  背貼り部
１６  底部シール部
１７  上部シール部
１８  切断補助部
１９  ノッチ
２０，２０Ａ〜２０Ｃ  嵌合具
２１  基材
２２  嵌合部
２３  第１のアーム部
２４  第２のアーム部
２５  雄爪部
２６〜２９  切り欠き部
３０，３１  雄型嵌合部
３２，３３  雌型嵌合部
【図１】
0005953043.tif 000002
【図２】
0005953043.tif 000003
【図３】
0005953043.tif 000004
【図４】
0005953043.tif 000005
【図５】
0005953043.tif 000006
【図６】
0005953043.tif 000007
【図７】
0005953043.tif 000008
【図８】
0005953043.tif 000009
【図９】
0005953043.tif 000010
【図１０】
0005953043.tif 000011
【図１１】
0005953043.tif 000012
【図１２】
0005953043.tif 000013